(57)【要約】      （修正有）【課題】画像表示部の位置調整ができる画像表示装置に置いて、位置調整時にコネクターやケーブルにストレスが加わったり、ケーブルをたるませ過ぎて外観性が劣化しない装置を提供する。【解決手段】画像表示部１の位置調整、たとえば高さや画像表示を縦位置や横位置に変更可能な画像表示装置がある。本件では、画像表示部１に第一の固定部、スタンド支柱部２−ｂに第二の固定部７を設けてそれぞれケーブル５を固定し、第二の固定部７は上下に移動可能でばねで下方に付勢した。それにより画像表示部１の位置調整にケーブル５と第二の固定部７が追従するので、コネクター４やケーブル５にストレスが掛からず、またケーブルたるみによる外観性の劣化も防止出来る。更に、ケーブル５を誤って短く固定した場合も、第二の固定部７のケーブル解放機構の働きで最適長さに調整される。【選択図】図１
2016206564.tif 000002
【特許請求の範囲】
【請求項１】
画像表示部と、該画像表示部を支持するスタンドと、該画像表示部に電気的に接続するケーブル、および該ケーブルを接続する端子とで構成した画像表示装置において、
該ケーブルは該画像表示部に設けた第一の固定部と該スタンドに設けた第二の固定部とに拘束されており、該第二の固定部は該スタンドに対して相対位置を変化可能であり、
更に該第二の固定部は該ケーブルを該画像表示部から遠ざける方向に付勢していることを特徴とする画像表示装置。
【請求項２】
該第二の固定部のケーブルを拘束する構造は、該ケーブルを中心にして両側から挟む構造であり、一方は第一の拘束部材をねじで固定し、対向する第二の拘束部材は該ケーブルに対する摩擦力可変機構を有することを特徴とする請求項１に記載の画像表示装置。
【請求項３】
該スタンドには該画像表示部を縦長位置と横長位置に切り替える回転機構を有しており、該第一の固定部は該画像表示部を背面側から見て、該回転機構を中心に該画像表示部を左右領域に分けた場合に、該画像表示部が横長位置から時計回りに縦長位置に回転する構造の場合には該左領域に位置し、反時計回りに縦長位置に回転する構造の場合には該右領域に位置することを特徴とする請求項１に記載の画像表示装置。
【請求項４】
該第二の固定部を該スタンドに対して相対位置を変化可能な構造は、該第二の固定部に設けた被案内部と、該スタンドに設けた案内切り欠きとの嵌合によることを特徴とする請求項１に記載の画像表示装置。
【請求項５】
該ケーブルを該画像表示部から遠ざける方向に該第二の固定部を付勢している構造は、該第二の固定部に設けた可動側固定部と該スタンド側に設けた固定側固定部とにまたがるばね部材であることを特徴とする請求項１又は請求項４に記載の画像表示装置。
【請求項６】
摩擦力可変機構を有する該第二の拘束部材は、押さえ部、回転軸、およびレバーで構成し、該回転軸にはトーションばね機能を持たせて無負荷時は該押さえ部が水平方向に延びていることを特徴とする請求項１又は請求項２に記載の画像表示装置。
【請求項７】
該ガイドレールの上部付近に凸部が設けられており、該第二の拘束部材が上昇端付近に近付くと、該レバーと該凸部が当接し、該押さえ部が該回転軸を中心に回転動作することを特徴とする請求項１乃至請求項６の何れか一項に記載の画像表示装置。
【請求項８】
該回転軸は、該第二の固定部に設けた一対の支持部間に配置しており、
該回転軸の一方は、該支持部の一方に固定され、該回転軸のもう一方は該支持部のもう一方に回転可能に嵌合していることを特徴とする請求項１乃至請求項７の何れか一項に記載の画像表示装置。
【請求項９】
該押さえ部には、該ケーブルと接触する面に摩擦力を増加する形状、または摩擦力を増加する材料を設けたことを特徴とする請求項１乃至請求項６の何れか一項に記載の画像表示装置。
【請求項１０】
該画像表示部の背面部において、該ケーブルが、該端子から該第一の固定部に拘束される位置までの範囲をカバーで覆っていることを特徴とする請求項１に記載の画像表示装置。
【発明の詳細な説明】
【技術分野】
【０００１】
本発明はＰＣ（パーソナルコンピューター）、ＬＡＮ（Local Area Network）や記録メディアに接続して、画像を表示する画像表示装置の外部ケーブルの配線処理方法と配線構造に関する。
【背景技術】
【０００２】
テレビ、コンピュータの端末、広告媒体、医療用機器、画像製作などの用途に、モニター（画像表示装置）が用いられている。これらの用途の中でも、写真やポスターなどの用途（グラフィック関係）で利用されるモニターでは、表示するコンテンツや使用環境により、矩形の画像表示部を横長で配置する場合、または縦長で配置する場合がある。
【０００３】
また、上記モニターに接続される外部ケーブルには、電源ケーブルの他に信号入力のためのケーブルとして、ＬＡＮケーブル、ＤＰ（Display Port）ケーブル、ＨＤＭＩ（登録商標）（High-Definition Multimedia Interface）ケーブルなどの規格に応じた仕様のものが用いられている。
【０００４】
ユーザーがモニターを扱う場合に、上記で述べたような複数の外部ケーブルをモニターのコネクター（接続端子）に装着した状態で、該モニターの配置を横長（縦長）から縦長（横長）に回転させる場合、外部ケーブルがモニターを支持するスタンド部分と干渉してしまい、上手く回転出来ないことが起きたり、またはコネクター部分に機械的な負担が掛かって信頼性に影響する課題があった。その課題を解決するためにはいくつかの先行技術が提案されている。
【０００５】
特許文献１は、モニターに接続する外部ケーブルをスタンド支柱部にクランプする構造を提案している。図５は、上記提案のモニターの背面側から見た図であり、本図を用いて説明を加える。  画像表示部７５は液晶パネル（図示せず）を利用して画像を表示する画像表示装置の本体であり、左右側面付近で後述のスタンドで支持される構造を有している。内部には該液晶パネルを駆動するための電源基板、信号処理基板、制御基板などの電気基板類（図示せず）を内蔵し、全体を外装で覆っている。
【０００６】
スタンド７６は画像表示部７５を支持するための積載台であり、下部は机上などに安定的に置くための面積を有するベース部と、垂直に延びる支柱部、更に支柱部上端付近に支持された水平部からなる。水平部の両端には回転可能に画像表示部７５を支持する回転軸（図示せず）を有し、本構造により画像表示部７５は画面表示を傾ける（チルト機能）ことが可能である。
【０００７】
ケーブル７７は電源供給用の図示しない供給側にはＡＣコンセントの接続部を有し、もう一旦はコネクター７８で画像表示部７５に電気的に接続されている。クランプ７９はケーブル７７がスタンド７６の支柱部に沿う部分に設けたケーブル７７の固定部である。
【０００８】
以上の構成において、ユーザーがモニターを扱う際の、特に外部ケーブルの配線に関わる特徴を述べる。ユーザーが画像表示装置を通常使用する際は、正面から見て、背面のケーブル類は見えない方がすっきりして外観性が良い。また、画像表示装置を移動する際にケーブル類を引っかけて、たとえばケーブル７７の両端にあるＡＣコンセントの接続部やコネクター７８を破損する場合がある。また、本画像表示装置は画像表示部７５がチルトするため、ケーブル７７にはある程度の調整された長さが必要である。
【０００９】
上記課題を解決するために本件においては、スタンド７６の支柱部分にケーブル７７の固定部であるクランプ７９を設けて、コネクター７８との間で適正なたるみを持たせ、またケーブル７７に機械的負荷が掛かってもコネクター７８を痛めることは無い。
【００１０】
また、特許文献２は、モニターの本体縦長位置と横長位置に回転する機構において、外部ケーブルをスタンド支柱部に沿わせて配線処理する構造を提案している。図６は、上記提案のモニターの背面側から見た図であり、（Ａ）は画像表示部が横長位置、（Ｂ）は画像表示部が縦長位置を表す図であり、更に（Ｃ）は画像表示部が縦長位置から横長位置に回転した後の状態を表している。本図を用いて説明を加える。
【００１１】
画像表示部８０は液晶パネル（図示せず）を利用して画像を表示する画像表示装置の本体であり、重心位置近傍を後述のスタンドで支持される構造を有している。内部には該液晶パネルを駆動するための電源基板、信号処理基板、制御基板などの電気基板類（図示せず）を内蔵し、全体を外装で覆っている。
【００１２】
コネクター部８１は後述の外部ケーブルを接続して信号処理基板と通信するための端子や、電源ケーブルを接続して電源基板に電力供給するための端子を備えている。スタンド８２は画像表示部８０を支持するための積載台であり、下部は机上などに安定的に置くための面積を有するベース部と、垂直に延びる支柱部からなる。昇降部８３はスタンド８２の支柱部に昇降可能に取り付けられていて、上部には画像表示部８０を横位置/縦位置を選択可能にする回転機構（図示せず）を有している。
【００１３】
ローラー８４は昇降部８３の上端付近に左右対称で取り付けられた、自由回転可能なローラーであり、円周面に後述のケーブル類が当接する構造である。溝部８５は向かい合う二つのローラー８４の間を通る昇降部８３に設けた上下に延びる凹部であり、後述のケーブル類を収納する。ケーブル類８６-aはコネクター部８１の端子類に接続した通信用と電源供給用の複数のケーブルであり、コネクター部８１で接続する位置からローラー８４に当接する位置までの長さを示している。ケーブル類８６-bはケーブル類８６-aと同じ複数のケーブルであり、ローラー８４に当接する位置から周辺に延びる範囲の長さを示している。
【００１４】
以上の構成において、ユーザーがモニターを取り扱う際の、特に外部ケーブルの動作に関わる特徴を述べる。画像表示部８０が横長位置においてはケーブル類８６-aは適正なたるみを有して、コネクター部８１には負荷が掛からず、また正面で作業するユーザーからはケーブル類８６-aが見えずに外観性が良い。作業者が画像表示部８０を回転させて縦位置に変更する際は、昇降部８３を上昇させて画像表示部８０がスタンド８２のベース部に衝突しないようにしてから、画像表示部８０を回転させる。この時、図６（Ｂ）に示すようにコネクター部８１が右側に移動するため、ケーブル類８６-aが伸びようとする。ケーブル類８６-a、８６-bは自由に回転するローラー８４に支持されているため、ローラー８４を回転させてケーブル類８６-bを画像表示部８０方向にたぐり寄せ、ケーブル類８６-aは適正な長さに調整される。
【先行技術文献】
【特許文献】
【００１５】
【特許文献１】特開平08-261392号公報
【特許文献２】特開平11-249577号公報
【発明の概要】
【発明が解決しようとする課題】
【００１６】
以上説明した特許文献１および特許文献２においては以下の問題を有している。特許文献１において、グラフィック関係で利用されるモニターのように、画像表示部を横長から縦長に変更できる回転構造をスタンドに設けた場合、コネクター７８とクランプ７９との間のケーブル７７の長さの変化に対応出来ていないため、以下のことが生じる。
【００１７】
１．初期設定でコネクター７８とクランプ７９との間のケーブル７７の長さを短めにした場合は、画像表示部７５の回転動作によりコネクター７８を痛める場合がある。
【００１８】
２．初期設定でコネクター７８とクランプ７９との間のケーブル７７の長さを長めにした場合は作業するユーザーからケーブル７７が見えて外観性が劣る。
【００１９】
また、特許文献２において、ケーブル類８６-aが伸びるような画像表示部８０の回転動作ではローラー８４の効果で問題は生じないが、画像表示部８０が縦長位置から横長位置に回転した場合は以下のようなことが生じる。
【００２０】
３．コネクター部８１がケーブル類８６-aが縮まる方向に回転移動するが、ケーブル類８６-aの素材は柔らかいためスタンド８２の溝部８５に戻る方向へローラー８４を回転させることが出来ず、ケーブル類８６-aの長さが縮まらずにたるみが発生し、画像表示部８０の外形からはみ出して外観性が低下する可能性がある（図６（Ｃ）参照）。
【課題を解決するための手段】
【００２１】
上述した課題を解決するために本発明の第一の実施例においては、
１．スタンドの支柱部には、画像表示部の高さ調整機構と縦/横位置回転機構を設けた。
２．画像表示部のコネクターに接続したケーブルは、画像表示部の背面の第一の固定部で固定し、コネクターからのケーブル長を決定した。更にケーブルカバ−でケーブル長の範囲を覆った。
３．スタンドの支柱部に第二の固定部を設けてケーブルを固定して、第一の固定部からのケーブル長を決定した。ケーブルの固定はクランプ本体側にクランプ押さえをねじ止めする構造である。
４．スタンドの支柱部に設けたガイドレールに、第二の固定部を摺動可能に嵌合させた。クランプ本体の被ガイド部がガイドレールに嵌合する。
５．第二の固定部の可動フックとスタンドに内蔵の固定フック間に引っ張りばねの両端を引っかけて、常に下方へ第二の固定部を付勢した。
６．第二の固定部において、クランプ押さえに向かい合ってケーブルを挟む機構は、押さえ部、回転軸とレバーで構成し、回転軸はトーションばね機能を持たせて通常は押さえ部が水平方向に延びている。
７．押さえ部には回転位置により、第一の摩擦力あるいは第二の摩擦力でケーブルと接触し、接触面には滑り止めの溝を複数設けた。
８．支柱部のガイドレールの上部付近に設けた解放ストッパーは、第二の固定部がガイドレールの上昇端付近に移動した場合に、レバーに当接して押さえ部を上方に回転させて、第一の摩擦力は第二の摩擦力に減衰する。
９．回転軸は、クランプ本体に一体的に形成した向かい合うレバー取り付け部に支持される。回転軸の一方は固定軸受、もう一方は回転軸受で嵌合させてトーションばね機能を持たせた。
【発明の効果】
【００２２】
本発明の第一の実施例によれば、
１．コネクターに接続したケーブルは、画像表示部背面の第一の固定部で固定し、更にケーブルカバ−で覆ったため、画像表示部を位置調整しても、コネクター部やケーブルにストレスが掛かったり、ケーブルがたるんで外観性を低下させることが無い。
２．スタンドの支柱部に設けた第二の固定部で、第一の固定部からのケーブル長さを決定できる構造とし、更に第二の固定部を引っ張りばねで常に下方へ付勢したため、画像表示部の位置調整で第二の固定部が上昇したり下降するため、ケーブルにストレスが掛からず、またケーブルがたるんで外観性が劣化することも無い。
３．第二の固定部では、ケーブルをクランプ押さえと対向する押さえ部で挟む構成とし、クランプ押さえはねじ固定、押さえ部は回転軸とレバーで一体化して、回転軸にトーションばね機能を持たせて通常は押さえ部が水平位置に保持され、更に押さえ部に滑り止めを形成したため、ケーブルがずれてたるみ外観性が劣化することがない。
４．第二の固定部の被ガイド部をスタンドのガイドレールに嵌合させたため、画像表示部の位置調整に第二の固定部が円滑に追従し、信頼性の高いケーブル固定構造が実現した。
５．ガイドレールの上部付近に設けた解放ストッパーにより、第二の固定部がガイドレールの上昇端付近に移動した場合に、レバーに当接して押さえ部を上方に回転させてケーブルを解放できる構造にしたため、第一の固定部から第二の固定部までのケーブル長を誤って短く設定した場合にも、ケーブルにストレスが掛からず、また画像表示部の位置調整も引っ掛かり無く円滑に作業出来る。
６．ケーブルを解放した後は、引っ張りばねによる第二の固定部の下降、トーションばね機能によるケーブル再固定により、第一の固定部から第二の固定部までのケーブル長が最適化され、以後はケーブルを解放する機構が動作しなくなる。そのため、解放機構の耐久性やケーブル被覆への傷を減らせるので、信頼性が向上する。
【図面の簡単な説明】
【００２３】
【図１】本発明の特徴をもっともよく表す画像表示装置の背面図であり、（Ａ）は画像表示部が横長位置、（Ｂ）は画像表示部が縦長から横長位置へ切り替わる途中の位置、（Ｃ）は画像表示部が縦長位置を表す。
【図２】本発明の画像表示装置のスタンド支柱部の第二の固定部の縦断面を拡大した図であり、（Ａ）はケーブル固定状態、（Ｂ）はケーブル開放状態を示す。
【図３】本発明の主要部品である第二の固定部の三面図であり、（Ａ）は背面図、（Ｂ）は側面図、（Ｃ）は底面図を表す。
【図４】本発明の主要部品である第二の固定部を構成する一部品の背面図
【図５】特許文献１の特開平08-261392号公報の代表図
【図６】特許文献２の特開平11-249577号公報の代表図
【発明を実施するための形態】
【００２４】
以下、本発明を実施するための形態を図面に基づいて説明する。
【００２５】
［実施例１］
図１は本発明の特徴をもっともよく表す画像表示装置の背面図であり、（Ａ）は画像表示部が横長位置の状態を表し、（Ｂ）は画像表示部が縦長位置から横長位置へ切り替わる途中の状態、（Ｃ）は画像表示部が縦長位置の状態を表している。本図を用いて各部品の特徴や構造の特徴を述べる。
【００２６】
画像表示部１は液晶パネル（図示せず）を利用して画像を表示する画像表示装置の本体であり、重心位置近傍を後述のスタンドで支持される構造を有している。内部には該液晶パネルを駆動するための電源基板、信号処理基板、制御基板などの電気基板類（図示せず）を内蔵し、全体を外装で覆っている。
【００２７】
スタンド２は画像表示部１を支持するための積載台であり、下部は机上などに安定的に置くための面積を有するベース部２-aと、垂直に延びる支柱部２-bからなる。ベース部２-aは安定的に画像表示部１を支持するために、内部に剛性と重量のある鋼板製のベース板（図示せず）を有し、更に底面の周囲には滑り止めのゴム足（図示せず）を配置している。  支柱部２-bの内部には画像表示部１の高さ調整するための機構(図示せず)や、後述する第二の固定部の摺動機構を有している。昇降部２-cはスタンド２の支柱部２-bに昇降可能に取り付けられていて、上部には画像表示部１を横位置/縦位置を選択可能にする回転機構（図示せず）を有している。
【００２８】
ケーブルカバー３は画像表示部１の背面の下側周辺を覆う外装部品であり、後述するケーブル５の配線の一部を覆いかつケーブル５が貫通する開口を有している。ユーザーが着脱できる。
【００２９】
コネクター部４は画像表示部１が内蔵する信号処理基板に実装した信号系のコネクター群と、電源基板近傍に実装したＡＣインレットを表している。信号系コネクターの種類はＬＡＮ、ＤＰ、ＨＤＭＩ（登録商標）であるが、先のケーブルカバー３を装着することで外部には露出しない構造である。ケーブル５は画像表示装置周辺のＰＣなどの電子機器に接続するための信号系ケーブル、および電源コンセントに接続するための電源系ケーブルを示している。いずれのケーブルも中心部に導電性の金属、或いは光伝搬性の樹脂の芯線を有し、周囲を軟質の樹脂で被覆した構造である。
【００３０】
ケーブル長５-aは先のケーブルカバー３に覆われたケーブル５の配線部分、つまりコネクター部４接続部からケーブルカバー３の開口を経て後述の第一の固定部６に達する長さを示している。ケーブル長５-bは、画像表示部１の背面側で、後述の第一の固定部６から第二の固定部７に達するケーブル５の長さを示している。
【００３１】
第一の固定部６は、画像表示部１の背面部でケーブルカバー３の開口付近に取り付けるケーブル５を固定するための部材であり、両端に設けた雄ねじ（図示せず）を画像表示部１に設けた雌ねじ（図示せず）に締め付ける構造である。第二の固定部７は、スタンド２の支柱部２-bに設けたケーブル５を固定するための部材であり、後述するクランプ本体１５とクランプ押さえ１６に挟まれてねじ止めして固定する構造である。
【００３２】
ガイドレール８は、第二の固定部７が上下方向に移動可能にするために支柱部２-bに設けた長穴であり、後述するクランプ本体１５が摺動可能に嵌合している。距離a１０は、画像表示部１が横長位置の状態において、第一の固定部６と第二の固定部７の両者に固定されたケーブル５に必要な、たるみ量を示している。距離b１１は、画像表示部１が横長位置から縦長位置に切り替わる途中の状態において、第一の固定部６と第二の固定部７の両者に固定されたケーブル５に必要な、たるみ量を示している。距離c１２は、画像表示部１が縦長位置の状態において、第一の固定部６と第二の固定部７の両者に固定されたケーブル５に必要な、たるみ量を示している。尚、距離a１０、距離b１１、距離c１２の長さの関係は以下の式に表される。
【００３３】
距離a１０＜距離c１２＜距離b１１
次に第二の固定部７の内部構造について、縦断面の図２（Ａ）を利用して説明を加える。固定フック２-dは、後述の引っ張りばね２０の両端に形成した一方のフックを固定する形状を、支柱部２-bに一体的に形成している。クランプ本体１５は第二の固定部７を構成する主要部品であり、樹脂を射出成型により所望の形状に加工している。
【００３４】
可動フック１５-aはクランプ本体１５の一部で、後述する引っ張りばね２０の両端に形成した一方のフックを固定する形状を成している。被ガイド部１５-bはクランプ本体１５の一部で、支柱部２-bに形成したガイドレール８に摺動可能に嵌合する形状を成している。
【００３５】
クランプ押さえ１６はクランプ本体１５に沿うように配線したケーブル５を挟むように被せ、後述する二本のねじ１７で締め付けることにより、第二の固定部７に対してケーブル５が相対的に移動することを抑制する。
【００３６】
ねじ１７はクランプ押さえの貫通穴を通過してクランプ本体の雌ねじに締結される。引っ張りばね２０は固定フック２-dと可動フック１５-aとに両端フック部を引っかけることにより、第二の固定部７を常に下方へ付勢するためのばね部品である。レバー２１はスタンド支柱部２-b内部に位置するクランプ本体１５の一部に支持された回転機構であり、無負荷ではほぼ水平方向に延びている。
【００３７】
回転軸２２はレバー２１と一体化した構造で断面円形で樹脂製の部材であり、軸の一端は固定され、もう一端は回転可能に支持されているため、レバー２１を回転させると軸部に戻し方向の応力が発生するトーションばねの機能を有している。押さえ部２３は回転軸２２を中心にしてレバー２１の反対方向に位置する部材であり、レバー２１、回転軸２２と一体的に成形されており、ケーブル５をクランプ押さえ１６で固定する際に該押さえ部２３でケーブル５を挟む構造である。ケーブル５との接触面には滑り止めの溝が複数設けられている。第一の摩擦力２８はケーブル５を第二の固定部７に固定した際に発生する、ケーブル５と押さえ部２３との接側面で発生する摩擦力である。
【００３８】
以上説明した構成による第一の想定に対する動作の特徴について、図１（Ａ）、（Ｂ）、（Ｃ）および図２（Ａ）を参照しながら説明を加える。
【００３９】
１）  第一の固定部６でケーブル５を適正長さであるケーブル長５-aで固定するので、画像表示部１を縦長位置（横長位置）から横長位置（縦長位置）へ回転させてもコネクター部４に負担はかからないし、たるんで外観が劣ることもない。 
【００４０】
２）  第二の固定部７は無負荷状態では引っ張りばね２０により支柱部２-bの下方に待機している。画像表示部１が横長位置にて第二の固定部７でケーブル５をクランプ押さえ１６とねじ１７で固定すると、ケーブル長５-bが決定する。
【００４１】
３）  この状態から、画像表示部１の縦長位置方向に回転すると、距離a１０が距離b１１に伸びるので、第二の固定部７がケーブル５に引っ張られて（第一の摩擦力２８により）スタンド支柱部２-bのガイドレール８を上昇する。更に画像表示部１が縦長位置にて停止すると、距離b１１が距離c１２に少し縮み、第二の固定部７は引っ張りばね２０により支柱部２-bの下方に少し戻されて停止する。
【００４２】
４）  この状態から、画像表示部１の横長位置方向に戻す回転をさせると、距離c１２が距離b１１に少し伸びるが、ケーブル長５-bが一定なので、第二の固定部７がケーブル５に引っ張られてスタンド支柱部２-bのガイドレール８を上昇する。更に画像表示部１が横長位置にて停止すると、距離b１１が距離a１０に縮み、第二の固定部７は引っ張りばね２０により支柱部２-bの下方に戻されて停止する。
【００４３】
以上の動作をまとめると、コネクター部４から第一の固定部６までの長さは画像表示部１の回転動作の影響を受けずに、コネクター部４に負担も掛からず、ケーブル５のたるみも発生しない。更に、第二の固定部７に第一の摩擦力２８でしっかり固定されたケーブル５は、画像表示部１の回転位置により距離a１０（距離a１２）から距離c１２（距離a１０）と変化するが、引っ張りばね２０を内蔵した第二の固定部７が上下動することで、ケーブル５の負担を無くし、たるみも発生させない。
【００４４】
次に図２（Ｂ）と図３および図４を用いて本件のもうひとつの特徴に関わる、各部品や構造について説明する。
【００４５】
解放ストッパー２-eはスタンド２の支柱部２-bのガイドレール８の上部付近に設けた凸部である。第二の固定部７がガイドレール８の上昇端付近に移動すると、図２（Ｂ）に示すように、レバー２１が回転軸２２を中心に回転し、押さえ部２３は図の時計回りに回転してケーブル５との接触がわずかとなり、第一の摩擦力２８は第二の摩擦力２９に減衰する。レバー取り付け部１５-cはクランプ本体１５に一体的に形成した凸形状の構造部であり、回転軸２２の両端部付近に対向するように２か所設けられている。
【００４６】
雌ねじ１５-dは、クランプ押さえ１６を固定するためのねじ１７が嵌合するねじ穴である。貫通穴１６-aはクランプ押さえ１６に設けたねじ１７を貫通する穴であり、雌ねじ１５-dに対向する位置に設けられている。窓１６-bはクランプ押さえ１６に設けた開口であり、押さえ部２３の通常位置で向かい合う位置に設けられている。
【００４７】
固定軸受２４はレバー取り付け部１５-cの一方に固定されていて、回転軸２２を固定する部材である。尚、固定軸受２４と回転軸２２は一体的に成形してもよいし、レバー取り付け部１５-cへの固定軸受２４の固定は、カシメや溶着、ねじなどいずれでもよい。回転軸受２５はレバー取り付け部１５-cのもう一方に固定されていて、回転軸２２を回転可能に支持するための凹部（図示せず）を設けている。
【００４８】
以上説明した構成による第二の想定に対する動作の特徴について、図１（Ａ）、（Ｂ）、（Ｃ）および図２（Ａ）、（Ｂ）図３（Ａ）、（Ｂ）、（Ｃ）を参照しながら説明を加える。先の第一の想定との違いは、第二の固定部７に固定するケーブル５の位置が良くなく、ケーブル長５-bが不適正長さで短くしてしまった場合である。その場合は以下で説明するようにケーブル解放機能が働く。
【００４９】
１）  第二の固定部７は無負荷状態では引っ張りばね２０により支柱部２-bの下方に待機している。画像表示部１が横長位置にて第二の固定部７でケーブル５をクランプ押さえ１６とねじ１７で固定すると、ケーブル長５-bが決定する。ここでは画像表示部１が縦長位置になると、ケーブル長５-bが不足する想定である。
【００５０】
２）  この状態から、画像表示部１の縦長位置方向に回転すると、距離a１０が距離b１１に伸びるので、第二の固定部７がケーブル５に引っ張られて（第一の摩擦力２８により）スタンド支柱部２-bのガイドレール８を上昇する。図２（Ａ）。
【００５１】
３）  図１（Ｂ）で示す状態以前で第二の固定部７はガイドレール８の上端付近に上昇し、レバー２１が解放ストッパー２-eに当接して、押さえ部２３がトーションバネ力に反する回転を始め第二の摩擦力２９の状態に変わる。図２（Ｂ）。
【００５２】
４）  ケーブル５は画像表示部１の回転動作にしたがって第二の固定部７を滑り、距離b１１に適正なケーブル５のたるみ量を確保する。それと同時に第二の固定部７は、引っ張りばね２０の力でガイドレール８を下方へ移動する。すると、レバー２１と解放ストッパー２-eの当接状態が解除されると共に、回転軸２２のトーションばね力により押さえ部２３が水平位置に復帰して第一の摩擦力２８が働き、ケーブル５を再固定する。この動作により、ケーブル長５-bが最適化される。
【００５３】
更に画像表示部１が縦長位置にて停止すると、距離b１１が距離c１２に少し縮み、第二の固定部７は引っ張りばね２０により支柱部２-bの下方に少し戻されて停止する。この後の画像表示部１が縦長位置から横長位置に戻る動作は、先に説明した第一の想定と同様であり、説明を省略する。
【００５４】
以上説明した構成、機能をまとめると、本発明は以下の特徴を有する。
【００５５】
１．スタンド２の支柱部２-bには画像表示部１の高さ調整機構と縦/横位置回転機構を設けた。
【００５６】
２．コネクター部４に接続したケーブル５は、画像表示部１の背面で第一の固定部６で固定してケーブル長５-aを決定した。更にケーブルカバー３でケーブル長５-aの範囲を覆った。
【００５７】
３．スタンド２の支柱部２-bに第二の固定部７を設けてケーブル５を固定して、第一の固定部からのケーブル長５-bを決定した。ケーブル５の固定はクランプ本体１５にクランプ押さえ１６をねじ止めする構造である。
【００５８】
４．スタンド２の支柱部２-bに設けたガイドレール８に、第二の固定部７を摺動可能に嵌合させた。クランプ本体１５の被ガイド部１５-bがガイドレール８に嵌合する。
【００５９】
５．第二の固定部７の可動フック１５-aとスタンド２に内蔵の固定フック２-d間に引っ張りばね２０の両端を引っかけて、常に下方へ第二の固定部７を付勢した。
【００６０】
６．第二の固定部７において、クランプ押さえ１６に向かい合ってケーブル５を挟む機構は、押さえ部２３、回転軸２２とレバー２１で構成し、回転軸２２はトーションばね機能を持たせて通常は押さえ部２３が水平方向に延びている。
【００６１】
７．押さえ部２３には回転位置により、第一の摩擦力２８あるいは第二の摩擦力２９でケーブル５と接触し、接触面には滑り止めの溝を複数設けた。
【００６２】
８．支柱部２-bのガイドレール８の上部付近に設けた解放ストッパー２-eは、第二の固定部７がガイドレール８の上昇端付近に移動した場合に、レバー２１に当接して押さえ部２３を上方に回転させて、第一の摩擦力２８は第二の摩擦力２９に減衰する。
【００６３】
９．回転軸２２は、クランプ本体１５に一体的に形成した向かい合うレバー取り付け部１５-cに支持される。回転軸２２の一方は固定軸受２４、もう一方は回転軸受２５で嵌合させてトーションばね機能を持たせた。
【００６４】
尚、押さえ部２３に設けた滑り止めな溝ではなく凸形状で構成しても良いし、ゴム系などの摩擦係数の大きい材料を積層しても良い。また、第二の固定部７を引っ張りばね２０で下方へ付勢しているが、重りを用いて重力を利用しても良い。
【００６５】
以上の特徴により、本構成によれば以下の効果がある。画像表示部の高さ調整と縦/横位置回転機構を有する画像表示装置において、
１．コネクター部に接続したケーブルは、画像表示部背面の第一の固定部で固定し、更にケーブルカバーで覆ったため、画像表示部を位置調整してスタンドとコネクター部の相対距離が変化しても、コネクター部やケーブルにストレスが掛かったり、またケーブルがたるんで外観性を劣化させることが無い。
【００６６】
２．スタンドの支柱部にケーブルに対する第二の固定部を設け、第一の固定部からのケーブル長さを決定できる構造とした。更に第二の固定部の可動フックとスタンド内蔵の固定フック間に引っ張りばねを用い、常に下方へ第二の固定部を付勢したため、画像表示部のコネクター部がスタンドから離れる動作では第二の固定部が上昇し、逆の動作では第二の固定部が下降する。したがってケーブルにストレスが掛からず、またケーブルがたるんで外観性が劣化することも無い。
【００６７】
３．第二の固定部におけるケーブルの固定は、片側にクランプ押さえをねじ止めし、対向する側は押さえ部、回転軸とレバーで構成し、回転軸はトーションばね機能を持たせて通常は押さえ部が水平方向に延ばす角度とし、更に押さえ部に滑り止めを形成したため、ケーブルがずれてたるみ外観性が劣化することがない。
【００６８】
４．第二の固定部の被ガイド部をスタンドの支柱部に設けたガイドレールに嵌合させたため、画像表示部の位置調整に第二の固定部が円滑に追従し、信頼性の高いケーブル固定構造が実現した。
【００６９】
５．支柱部のガイドレールの上部付近に設けた解放ストッパーにより、第二の固定部がガイドレールの上昇端付近に移動した場合に、レバーに当接して押さえ部を上方に回転させて、第一の摩擦力が第二の摩擦力に減衰するようにしたため、第一の固定部から第二の固定部までのケーブル長を誤って短く設定した場合には、上記摩擦力の減衰でケーブルを解放できるので、ケーブルにストレスが掛からず、また画像表示部の位置調整も引っ掛かり無く円滑に作業出来る。
【００７０】
６．摩擦力の減衰でケーブルを解放した後は、引っ張りばねによる第二の固定部の下降、回転軸のトーションばね機能によるケーブル再固定により、第一の固定部から第二の固定部までのケーブル長が最適化され、以後はケーブルを解放する機構が動作しなくなる。そのため、解放機構の耐久性やケーブル被覆への傷を減らせるので、信頼性が向上する。
【００７１】
尚、本件提案の構造は、スタンドに対して画像表示部がチルトしたりスイーベルしたりする画像表示装置でも、有効に機能することは言うまでも無い。
【符号の説明】
【００７２】
１  画像表示部、２  スタンド、２-a  ベース部、２-b  支柱部、２-c  昇降部、
２-d  固定フック、２-e  解放ストッパー、３  ケーブルカバー、４  コネクター部、
５  ケーブル、５-a，５-b  ケーブル長、６  第一の固定部、７  第二の固定部、
８ ガイドレール、１０  距離a、１１  距離b、１２  距離c、１５  クランプ本体、１５-a  可動フック、１５-b  被ガイド部、１５-c  レバー取り付け部、
１５-d  雌ねじ、１６  クランプ押さえ、１６-a  貫通穴、１６-b  窓、
１７  ねじ、２０  引っ張りばね、２１  レバー、２２  回転軸、２３  押さえ部、
２４  固定軸受、２５  回転軸受、２８  第一の摩擦力、２９  第二の摩擦力、
７５，８０  像表示部、７６，８２  スタンド、７７ ８６-a，８６-b  ケーブル、７８，８１  コネクター７９  クランプ、８３  昇降部、８４  ローラー、８５  溝部
【図１】
2016206564.tif 000003
【図２】
2016206564.tif 000004
【図３】
2016206564.tif 000005
【図４】
2016206564.tif 000006
【図５】
2016206564.tif 000007
【図６】
2016206564.tif 000008